(57)【要約】【課題】【解決手段】ケーブル結束装置２０が開示されている。ケーブル結束装置は、伸びたタブ４６を有するストラップ４０と、ストラップに固定された係止ヘッド６０とを含む。係止ヘッドは、頂部６２及び底部６４を含む。係止ヘッドの底部は、ケーブル結束装置が物品１００の束の周りに取り付けられたとき、係止ヘッドが変形するのを可能にする少なくとも１つの逃がしスロット７２を含む。係止ヘッドの底部は、また、係止ヘッドから離れて伸びる少なくとも１つのタブ７０も含む。ストラップの伸びたタブ、係止ヘッドの少なくとも１つの前側タブ、及び変形した係止ヘッドの底部の少なくとも１つの逃しスロットは、ケーブル結束装置が物品の束の周りにて３６０°のシールを提供することを可能にする。
2009531248.tif 000002
【特許請求の範囲】
【請求項１】
ケーブル結束装置において、
細長い金属製のストラップと、
ストラップに固定された金属製の係止ヘッドとを備え、
前記係止ヘッドは、頂部及び底部を有し、
前記係止ヘッドの底部は、ケーブル結束装置が物品の束の周りに取り付けられたとき、係止ヘッドが変形するのを可能にする少なくとも１つの逃がしスロットを有する、ケーブル結束装置。
【請求項２】
請求項１に記載のケーブル結束装置において、前記少なくとも１つの逃がしスロットは、前記係止ヘッドの隅部に配置される、ケーブル結束装置。
【請求項３】
請求項１に記載のケーブル結束装置において、前記係止ヘッドは、前記係止ヘッドの底部から伸びる少なくとも１つのタブを含む、ケーブル結束装置。
【請求項４】
請求項３に記載のケーブル結束装置において、前記係止ヘッドの少なくとも１つのタブは、単一の前側タブを含む、ケーブル結束装置。
【請求項５】
請求項３に記載のケーブル結束装置において、前記係止ヘッドの少なくとも１つのタブは、１対の前側タブを含む、ケーブル結束装置。
【請求項６】
請求項１に記載のケーブル結束装置において、前記ストラップは伸びたタブを含み、これにより、前記伸びたタブが、係止ヘッドがストラップに固定されたとき、係止ヘッドの底部に沿い且つ底部を超えて伸びるようにした、ケーブル結束装置。
【請求項７】
ケーブル結束装置において、
頂部及び底部を有し、スロットを更に備える細長い金属製のストラップと、
前記ストラップに固定された金属製の係止ヘッドであって、頂部及び底部を有し、係止ヘッドの底部から伸びる少なくとも１つのタブを更に有する金属製の係止ヘッドとを備え、
これにより、前記少なくとも１つのタブは、前記ストラップが前記係止ヘッド内に取り付けられたとき、前記ストラップの前記スロットを通って伸びる、ケーブル結束装置。
【請求項８】
請求項７に記載のケーブル結束装置において、前記ストラップは、前記ストラップが前記係止ヘッド内に取り付けられたとき、前記係止ヘッドの底部に沿い且つ底部を超えて伸びる、伸びたタブを更に備える、ケーブル結束装置。
【請求項９】
請求項７に記載のケーブル結束装置において、前記係止ヘッドは、ケーブル結束装置が物品の束の周りに取り付けられたとき、前記係止ヘッドが変形するのを可能にする少なくとも１つの逃がしスロットを更に備える、ケーブル結束装置。
【請求項１０】
請求項９に記載のケーブル結束装置において、前記少なくとも１つの逃がしスロットは、前記係止ヘッドの隅部に配置される、ケーブル結束装置。
【請求項１１】
請求項７に記載のケーブル結束装置において、前記係止ヘッドの少なくとも１つのタブは、単一の前側タブを含む、ケーブル結束装置。
【請求項１２】
請求項７に記載のケーブル結束装置において、前記係止ヘッドの少なくとも１つのタブは、１対の前側タブを含む、ケーブル結束装置。
【請求項１３】
ケーブル結束装置において、
頂部及び底部を有し、スロットと、伸びたタブとを更に有する細長い金属製のストラップと、
前記ストラップに固定された金属製の係止ヘッドであって、頂部及び底部を有し、係止ヘッドの底部から伸びる少なくとも１つのタブを更に有する金属製の係止ヘッドとを備え、
前記少なくとも１つのタブは、前記ストラップが前記係止ヘッド内に取り付けられたとき、前記ストラップの前記スロットを通って伸び、また、前記伸びたタブは、前記係止ヘッドの底部に沿い且つ底部を超えて伸び、
これにより、ケーブル結束装置が物品のタブの周りに取り付けられたとき、前記ストラップの伸びたタブと、前記係止ヘッドの少なくとも１つのタブとは、物品の束の外面に接触する、ケーブル結束装置。
【請求項１４】
請求項１３に記載のケーブル結束装置において、前記係止ヘッドの底部は、ケーブル結束装置が物品の束の周りに取り付けられたとき、前記係止ヘッドが変形するのを可能にする少なくとも１つの逃がしスロットを含む、ケーブル結束装置。
【請求項１５】
請求項１４に記載のケーブル結束装置において、前記少なくとも１つの逃がしスロットは、前記係止ヘッドの隅部に配置される、ケーブル結束装置。
【請求項１６】
請求項１３に記載のケーブル結束装置において、前記係止ヘッドの少なくとも１つのタブは、単一の前側タブを含む、ケーブル結束装置。
【請求項１７】
請求項１３に記載のケーブル結束装置において、前記係止ヘッドの少なくとも１つのタブは、１対の前側タブを含む、ケーブル結束装置。
【発明の詳細な説明】
【関連出願の相互参照】
【０００１】
［０００１］  本出願は、２００６年３月２８日付けで出願された、米国仮特許出願６０／７８６，７９６号の優先権を主張するものである。
【技術分野】
【０００２】
［０００２］  本発明は、ケーブル結束装置、より詳細には、物品の束の周りにて３６０°のシールを提供する金属製の係止結束装置に関する。
【背景技術】
【０００３】
［０００３］  係止ボール及びローラピンを組み込んだ金属製の結束装置は、１９世紀以降、綿又は同様のもののベールを結束するため使用されている。先行技術の装置の何れも確実係止するものは無い、すなわち係止ヘッドの向きに依存して、重力がボールをストラップと係止係合状態となるように保持し、その結果、解放される状態となる。米国特許明細書４，３９９，５９２号は、織ったストラップが係止ヘッドから出るとき、その織ったストラップを床から離れるように偏向させるべく隆起部分又は突出部を追加することを教示することによりこの問題点に対処している。この偏向によって、ボールの位置又は係止ヘッドの向きに関係なく、係止ボールが挿入したストラップと常時、係合していることが保証される。織ったストラップは、係止ヘッド内にて固定されるが、ストラップと物品の束との間に空隙が存在する。
【発明の開示】
【発明が解決しようとする課題】
【０００４】
［０００４］  このように、物品の束の周りにて改良された３６０°のシールを提供することのできるケーブル結束装置を提供することが望まれる。
【課題を解決するための手段】
【０００５】
［０００５］  金属製の係止結束装置が開示されている。ケーブル結束装置は、伸びたタブと、ストラップに固定された金属製の係止ヘッドとを有する細長い金属製のストラップ又は本体を含む。係止ヘッドは、頂部及び底部を含む。係止ヘッドの底部は、複数の逃がしスロットを有する。逃がしスロットは、ケーブル結束装置が物品の束の周りに取り付けられたとき、係止ヘッドが変形するのを可能にする。係止ヘッドは、また、係止ヘッドの底部から伸びる少なくとも１つのタブも含む。ストラップの伸びたタブ、係止ヘッドの少なくとも１つの前側タブ、及び係止ヘッドの底部の逃しスロットは、金属製の係止結束装置が物品の束の周りにて３６０°のシールを提供することを可能にする。
【発明を実施するための最良の形態】
【０００６】
［００１９］  図１には、本発明の金属製の係止結束装置２０が示されている。金属製の係止結束装置２０は、金属製の係止結束装置ストラップ又は本体４０と、金属製の係止結束装置ヘッド６０とを含む。図１−図６に示したように、金属製の係止結束装置本体４０は、頂部４２と、底部４４と、格別に長く又は伸びた本体タブ４６とを含む。結束装置本体４０が結束装置ヘッド６０内に取り付けられたとき、格別に長い本体タブ４６は、結束装置ヘッド６０の底部６４に沿って伸びて結束装置ヘッド６０の底部６４を覆う。図１−図３に示したように、格別に長い本体タブ４６は、また、結束装置ヘッド６０を越えて伸びて格別に長い本体タブ４６が結束装置本体４０の一部分の下方に配置されるようにする。図９に関して以下に説明するように、金属製の係止結束装置２０が物品１００の束の周りに取り付けられたとき、格別に長い本体タブ４６は、物品１００の束の外面１０２の一部分と接触する。
【０００７】
［００２０］  図４及び図５に示したように、結束装置本体４０は、変位開孔４７と、係合スロット４８とを含む。変位開孔４７は、参考として引用し本明細書に含めた、共有の米国特許明細書６，６４７，５９６号に示され且つ記載されたように、結束装置本体４０の頂部４２の中央に配置されている。係合スロット４８は、変位開孔４７の前方に配置されている。係合スロット４８は、格別に長い本体タブ４６に向けて結束装置本体４０の前側の周りを取り巻く。
【０００８】
［００２１］  これと代替的に、結束装置本体４０は、変位スロット４９を含むことができる（図６参照）。変位スロット４９は、結束装置本体４０の頂部４２の中央に配置されている。変位スロット４９は、結束装置本体４０を結束装置ヘッド６０に固定する、変位係止特徴部として使用することができる。
【０００９】
［００２２］  結束装置本体４０は、また、その内容を参考として引用し本明細書に含めた、共有の米国仮特許出願明細書６０／８８６，５５２号に示し且つ記載されたように、結束装置本体４０の頂部４２上に配置された傾斜路４３も含む。
【００１０】
［００２３］  図１−図３、図７及び図８に示したように、金属製の係止結束装置ヘッド６０は、頂部６２と、底部６４と、ストラップ入口端すなわち前側部分６６と、ストラップ出口端すなわち後側部分６８と、その両者の間を伸びるストラップ受け入れ開孔６７とを含む。金属製の係止結束装置ヘッド６０は、結束装置本体４０を結束装置ヘッド６０に対して係止することを可能にする典型的な係止ボール８０も含む。図１−図３、図７及び図８には、１対の長い前側タブ７０を有する金属製の係止結束装置ヘッド６０が更に示されている。長い前側タブ７０は、結束装置ヘッド６０の底部６４から外方に伸びている。長い前側タブ７０は、結束装置本体４０が結束装置ヘッド６０内に取り付けられたとき、係止スロット４８を貫通して伸びる。これと代替的に、結束装置本体４０が変位スロット４９を有する場合、長い前側タブ７０は、結束装置本体４０が結束装置ヘッド６０内に取り付けられたとき、変位スロット４９を貫通して伸びるようにしてもよい。
【００１１】
［００２４］  結束装置ヘッド６０は、複数の逃がしスロット７２を含む。逃がしスロット７２は、結束装置ヘッド６０の底部６４の隅部７４の各々に配置される。逃がしスロット７２は、結束装置ヘッド６０の前側部分６６及び後側部分６８から結束装置ヘッド６０の中心に向けて伸びている。逃がしスロット７２は、金属製の係止結束装置２０が物品１００の束の周りにて取り付けられたとき、結束装置ヘッド６０の前側部分６６及び後側部分６８が変形することを可能にする。このように、図９に示したように、結束装置ヘッド６０は、金属製の係止結束装置２０が引張り荷重下にあるとき、物品１００の束の外面１０２に対して順応することができる。
【００１２】
［００２５］  図１０には、金属製の係止結束装置２０が物品１００の束の周りに取り付けられたとき、結束装置本体４０の格別に長い本体タブ４６の断面図が示されている。格別に長い本体タブ４６は、金属係止結束装置２０と物品１００の束の外面１０２との間の空隙１１０を小さくする。このように、格別に長い本体タブ４６、長い前側タブ７０及び結束装置ヘッド６０の底部６４の逃がしスロット７２は、金属製の係止結束装置２０が物品の束の周りにて３６０°のシールを提供することを可能にする。
【００１３】
［００２６］  図１１−図１３には、金属製の係止結束装置１２０の１つの代替的な実施の形態が示されている。金属製の係止結束装置１２０は、結束装置ストラップ又は本体１４０と、金属製の係止結束装置ヘッド１６０とを含む。結束装置本体１４０は、図１−図１０に関して上述した結束装置本体４０の格別に長い本体タブ４６と同一の格別に長い又は伸びた本体タブ１４６を含む。更に、図５及び図６に示した結束装置本体４０と同様、結束装置本体１４０は、変位開孔と、係合スロット又は変位スロット（図示せず）とを含む。
【００１４】
［００２７］  金属製の係止結束装置ヘッド１６０は、頂部１６２と、底部１６４と、ストラップ入口端すなわち前側部分１６６と、ストラップ出口端すなわち後側部分１６８と、その間を伸びるストラップ受け入れ開孔１６７とを含む。金属製の係止結束装置ヘッド１６０は、単一の長い前側タブ１７０も含む。単一の長い前側タブ１７０は、結束装置ヘッド１６０の底部１６４から外方に伸びている。図１３に示したように、金属製の係止結束装置ヘッド１６４の底部１６４は、単一の長い前側タブ１７０を受容する段付き縫目１６５を含む。このように、金属製の係止結束装置１２０が組み立てられたとき、長い前側タブ１７０は、結束装置本体１４０が結束装置ヘッド１６０内に取り付けられた際、係合スロット又は変位スロットを貫通して伸びる。
【００１５】
［００２８］  上述した結束装置ヘッド６０と同様、結束装置ヘッド１６０は、複数の逃がしスロット１７２も含む。逃がしスロット１７２は、結束装置ヘッド１６０の底部１６４の隅部１７４の各々に配置されている。逃がしスロット１７２は、結束装置ヘッド１６０の前側部分１６６及び後側部分１６８から結束装置ヘッド１６０の中心に向けて伸びている。逃がしスロット１７２は、金属製の係止結束装置１２０が物品１００の束の周りに取り付けられたとき、結束装置ヘッド１６０の前側部分１６６及び後側部分１６８が変形することを可能にする。
【００１６】
［００２９］  その結果、長い本体タブ１４６、長い前側タブ１７０及び結束装置ヘッド１６０の底部１６４の逃がしスロット１７２は、金属製の係止結束装置１２０が物品１００の束の周りに取り付けられたとき、金属製の係止結束装置１２０が３６０°シールを提供することを可能にする。
【００１７】
［００３０］  更に、本発明の特定の好ましい実施の形態について図示し且つ説明したが、当該技術の当業者には、本発明の教示から逸脱せずに、変更例及び改変例を為すことが可能であることは明らかであろう。上記の説明及び添付図面に示した事項は、単に一例として揚げたものであり、限定的なものではない。本発明の実際の範囲は、先行技術に基づいてそれらの適正な観点から見たとき、特許請求の範囲にて規定することを意図するものである。
【図面の簡単な説明】
【００１８】
【図１】本発明の金属製の係止結束装置の斜視図である。
【図２】図１の金属製の係止結束装置の側面断面図である。
【図３】図１の金属製の係止結束装置の側面図である。
【図４】図１の金属製の係止結束装置の金属製係止結束装置の本体の底部分を示す部分斜視図である。
【図５】図１の金属製の係止結束装置の金属製係止結束装置本体の頂部分を示す部分斜視図である。
【図６】図１の金属製の係止結束装置の１つの代替的な金属製係止結束装置本体の頂部を示す部分斜視図である。
【図７】図１の金属製の係止結束装置の金属製係止結束装置ヘッドの頂部を示す斜視図である。
【図８】図１の金属製の係止結束装置の金属製係止結束装置ヘッドの底部を示す斜視図である。
【図９】物品の束の周りに取り付けられた図１の金属製の係止結束装置の部分側面図である。
【図１０】線Ａ−Ａに沿った図９の金属製係止結束装置の断面図である。
【図１１】本発明の金属製の係止結束装置の１つの代替的な実施の形態を示す斜視図である。
【図１２】図１１の金属製の係止結束装置の金属製係止結束装置ヘッドの頂部を示す斜視図である。
【図１３】図１１の金属製係止結束装置の金属製係止結束装置ヘッドの底部を示す斜視図である。
【図１】
2009531248.tif 000003
【図２】
2009531248.tif 000004
【図３】
2009531248.tif 000005
【図４】
2009531248.tif 000006
【図５】
2009531248.tif 000007
【図６】
2009531248.tif 000008
【図７】
2009531248.tif 000009
【図８】
2009531248.tif 000010
【図９】
2009531248.tif 000011
【図１０】
2009531248.tif 000012
【図１１】
2009531248.tif 000013
【図１２】
2009531248.tif 000014
【図１３】
2009531248.tif 000015
【国際調査報告】
2009531248.tif 000016
2009531248.tif 000017
2009531248.tif 000018
2009531248.tif 000019